(57)【特許請求の範囲】
【請求項１】
被着磁体の外周に沿って配置され、かつ励磁コイルが巻回されて単極の着磁極を形成する着磁ヘッドと、被着磁体の着磁ヘッドに対する相対的な等間隔の移動ごとに励磁コイルへ交互に正負反転するパルス電流を供給するパルス電流発生回路とを備え、被着磁体の外周の着磁領域を移動ごとにＮ及びＳ極交互に順に着磁する着磁過程を複数回繰り返して被着磁体を多極に着磁するようになった多極着磁装置において、
着磁ヘッドが、主着磁極用ヨーク部分から隣の着磁領域間の離間距離に対応して離間した両側に補助磁極用ヨーク部分を備えたＥ型ヨークと、前記主着磁極用ヨーク部分に巻回される励磁コイルとより構成され、
両側の前記補助磁極用ヨーク部分の先端位置が、前記着磁領域への磁束分布を集中させるように、前記主着磁極用ヨーク部分の先端位置よりも後退位置を占めることを特徴とする多極着磁装置。
【発明の詳細な説明】
【０００１】
【発明の属する技術分野】
本発明は、被着磁体の周囲に配置され、かつ励磁コイルが巻回されて単極の着磁極を形成する着磁ヘッドと、被着磁体の着磁ヘッドに対する相対的な等間隔の移動ごとに励磁コイルへ交互に正負反転するパルス電流を供給するパルス電流発生回路とを備え、被着磁体の周囲の着磁領域を移動ごとにＮ及びＳ極交互に順に着磁する着磁過程を複数回繰り返して被着磁体を多極に着磁するようになった多極着磁装置に関するものである。
【０００２】
【従来の技術】
図３はこの種の多極着磁装置を示すもので、被着磁体のディスク１９の周囲に、励磁コイル２１がヨーク２０に巻回された単極の着磁ヘッドを配置し、励磁コイル２１へディスク１９の所定量の回転ごとに交互に正負反転する着磁用パルス電流を供給するようになっている。これにより、ディスク１９の例えば１ｍｍ以下の等間隔の回転ごとにＮ及びＳ極交互に順に着磁する着磁過程を複数回繰り返して、ディスク１９の周囲に微小間隔の多極着磁が行われる。
【０００３】
【発明が解決しようとする課題】
このような単極の着磁極により、ディスク１９に対して先方へ深く磁極が形成されるが、反面ではこのような着磁方法は、所定の強さに磁化するのに複数回の磁着を前提にするために、次の回転時に対象とする着磁領域の隣の着磁領域の着磁済みの逆極性の磁極がある程度減磁されるのを甘受していた（同図に磁束経路を概略的に図示する）。
【０００４】
本発明は、このような点に鑑みて、対象とする着磁領域に対する単極による着磁の際に、両隣の着磁済みの磁極が減磁されるのを抑制できる多極着磁装置を提供することを目的とする。
【０００５】
【課題を解決するための手段】
本発明は、この目的を達成するために、請求項１により、被着磁体の外周に沿って配置され、かつ励磁コイルが巻回されて単極の着磁極を形成する着磁ヘッドと、被着磁体の着磁ヘッドに対する相対的な等間隔の移動ごとに励磁コイルへ交互に正負反転するパルス電流を供給するパルス電流発生回路とを備え、被着磁体の外周の着磁領域を移動ごとにＮ及びＳ極交互に順に着磁する着磁過程を複数回繰り返して被着磁体を多極に着磁するようになった多極着磁装置において、着磁ヘッドが、主着磁極用ヨーク部分から隣の着磁領域間の離間距離に対応して離間した両側に補助磁極用ヨーク部分を備えたＥ型ヨークと、主着磁極用ヨーク部分に巻回される励磁コイルとより構成され、両側の補助磁極用ヨーク部分の先端位置が、着磁領域への磁束分布を集中させるように、主着磁極用ヨーク部分の先端位置よりも後退位置を占めることを特徴とする。
【０００６】
対象とする着領域を通過する着磁磁束が、主着磁極及びその両側に在る逆極性の補助磁極間に発生されることにより、両側の着磁領域へ着磁磁束が広く拡散するのが抑制され、しかも補助磁極の後退により異極性の隣の着磁済みの磁極の減磁が一層有効に抑制される。
【０００７】
【発明の実施の形態】
図１及び図２を基に本発明の実施の形態の一例による多極着磁装置を説明する。この多極着磁装置は、被着磁体である例えばモータ用の磁性の合成樹脂製ディスク１９が装着され、かつモータ駆動の回転軸１６で回転されるテーブル１７と、回転軸１６を回転駆動するモータ制御回路１８と、ディスク１９の周囲に配置される着磁ヘッド１０と、モータ制御回路１８の回転駆動に同期し、かつ交互に正負反転する矩形状の着磁用パルス電流を発生するパルス電流発生回路１４とを備えている。
【０００８】
着磁ヘッド１０は、励磁コイル１３を巻回された主着磁極用ヨーク部分１１から隣の着磁領域間の離間距離に対応して離間した両側に補助磁極用ヨーク部分１２を備えた共通のＥ型ヨークを用いて構成される。この一対のヨーク部分１２は、主着磁極用ヨーク部分１１に対して同一断面形状で両側に分岐することによりそれぞれの磁極は自ずと主着磁極に対して相対的に弱くなり、また僅かに短く設定されている。
【０００９】
このように構成された多極着磁装置の動作は次の通りである。励磁コイル１３に交番するパルス電流が供給されることにより、主着磁極用ヨーク部分１１に発生される主着磁極１１ａ及び両側の補助磁極用ヨーク部分１２に発生される補助磁極１２ａ間に、対象とする着磁領域を通過し、かつ極性が交番する着磁磁束が形成される。このようなパルス電流の供給はディスク１９の回転に同期することにより、その周辺の例えば０．３ｍｍ間隔の着磁領域に、ＮＳ交互に数百極に着磁される。ディスク１９の回転が複数回行われて同一着磁過程が繰り返されることにより、重ねて着磁されて所定の磁極の強さの多極の磁極が形成される。
【００１０】
このような着磁動作に際して、主着磁極１１ａの先方に発生された単極着磁用磁束の分布は、図２に拡大して示すように、両側の逆極性の補助磁極１２ａにより規制され、対象とする着磁領域へ集中し、しかも両側へ分岐されている補助磁極１２ａの磁極は、主着磁極１１ａよりも弱くなることにより、異極性の隣の着磁済みの磁極を減磁するのが抑制される。
【００１１】
尚、前述のＥ型ヨークの補助磁極用ヨーク部分は、後退位置により減磁作用の抑制効果を有利に調整できる。
【００１２】
また、断面形状は主磁極用ヨーク部分よりも小さくしたり、或いは主着磁極用ヨーク部分に対する間隔は着磁間隔に正確に対応せずに、主着磁極寄りに設定することも考えられる。
【００１３】
さらに、前述の実施の形態では、被着磁体を回転体として説明したが、本発明は直線状の着磁領域を有する被着磁体に対しても直線状に往復移動させることにより適用でき、また非着磁体を移動させるのに代えて、場合により着磁ヘッドを移動させることもできる。
【００１４】
【発明の効果】
本発明によれば、単極による着磁の利点を保持して、両側の補助磁極が主着磁極よりも後退したＥ型ヨークにより、両隣の着磁済みの磁極の減磁を有効に抑制できることにより、効率良く、多極の強い磁極に着磁することが可能となる。
【図面の簡単な説明】
【図１】本発明の実施の形態による多極着磁装置の概略構成を示す図である。
【図２】同多極着磁装置の動作を説明する図である。
【図３】従来の単極式の多極着磁装置を動作を説明する図である。
【符号の説明】
１０  着磁用ヘッド
１１  主着磁極用ヨーク部分
１１ａ  主着磁極
１２  補助磁極用ヨーク部分
１２ａ  補助磁極
１３  励磁コイル
１９  ディスク
【図１】
0004346256.tif 000002
【図２】
0004346256.tif 000003
【図３】
0004346256.tif 000004